(57)【要約】【課題】            商品の購入や施設の入場等に際して、年齢確認を要する場合、その年齢を確認させるための手段としてカードを用いるシステムにあって、そのカードは通常専用のものに限定されるが、汎用され、生年月日情報が記載されている住基カードの真贋判定を適確に行ない有効に使用するものがなかったという点である。【解決手段】        ＲＦＩＤに独立して記録されている生年月日情報を確認するため、本人確認のためのＰＩＮコードを入力するためのテンキー、特にＰＩＮパッドを付設できることとし、前記したテンキー、特にＰＩＮパッドは二次元コードから生年月日情報（ＰＩＮコード）を読み取れない場合、二次元コードが存在しない場合、二次元コードが存在していても使用しない場合のほか、二次元コードの読み取りを行なう機能を有しない場合のいずれにあっても有効に作用することとする。【選択図】          図２
2010128913.tif 000002
【特許請求の範囲】
【請求項１】
年齢の識別認識システムに使用するカードを、住民基本台帳カード、あるいは生年月日情報（ＰＩＮコード）を書き込んだ二次元コードを併用したＲＦＩＤ方式カードのうち一種類以上であることとし、まず二次元コードにおける生年月日情報（ＰＩＮコード）を読み取り、これをトリガー信号としてＲＦＩＤに独立して記録されている生年月日情報を確認してカードが本物であると判定することを特徴とする年齢の識別認識システム。
【請求項２】
カードによる年齢識別部は、カードの挿入、排出を行なう機構を有し、そのカードの挿入、排出を行なう機構のほか、イメージセンサー部、ＲＦＩＤ読取部、光学センサー部、表示部をＣＰＵと接続してあることを特徴とする請求項１に記載の年齢の識別認識システム。
【請求項３】
前記したカードによる年齢識別部にカードを挿入した場合、ローディング完了時点でカードの手前側端縁が一部露呈状態で停止されることを特徴とする請求項１または請求項２に記載の年齢の識別認識システム。
【請求項４】
前記した生年月日情報（ＰＩＮコード）を書き込んだ二次元コードを併用したＲＦＩＤ方式カードは書き換え可能と書き換え不能の二種類が用意されることを特徴とする請求項１、請求項２または請求項３に記載の年齢の識別認識システム。
【請求項５】
前記した生年月日情報（ＰＩＮコード）を書き込んだ二次元コードを併用したＲＦＩＤ方式カードの場合、年齢識別部に挿入後に、まず該カードの処理可能もしくは不可能の判定がなされ、不可能な場合ＮＧとされることを特徴とする請求項４に記載の年齢の識別認識システム。
【請求項６】
前記したＲＦＩＤに独立して記録されている生年月日情報を確認するため、本人確認のためのＰＩＮコードを入力するためのテンキー、特にＰＩＮパッドを付設できることを特徴とする請求項１、請求項２、請求項３、請求項４または請求項５に記載の年齢の識別認識システム。
【請求項７】
前記したテンキー、特にＰＩＮパッドは二次元コードから生年月日情報（ＰＩＮコード）を読み取れない場合、二次元コードが存在しない場合、二次元コードが存在していても使用しない場合のほか、二次元コードの読み取りを行なう機能を有しない場合のいずれにあっても有効に作用することを特徴とする請求項６に記載の年齢の識別認識システム。
【発明の詳細な説明】
【技術分野】
【０００１】
本発明は年齢の識別認識システムに関し、特に購入に年齢制限のあるタバコやアルコール飲料、成人雑誌、ＤＶＤ等の自動販売機や年齢に制限がある施設への入場扉等を顧客の年齢が適応しているか否かを判定し、自動的に制御して作動させるための年齢の識別認識システムに関する。
【背景技術】
【０００２】
上記した年齢を確認して自動販売機を作動させるシステムとして、近時ではタスポ（商標名、社団法人日本たばこ協会、以下、専用カードと称する）を採用したタバコの自動販売システムが知られている。このシステムは必要な貨幣を投入後、欲する銘柄のタバコボタンを押した後に、専用カードを認識部にタッチさせることで装置が動作してタバコが放出される。そして、この専用カードは貸与が禁止された個人限定のものとなっている。
【０００３】
現在は、この専用カードの使用のほかにも、運転免許証を読み取り口に挿入し、年齢を読み取らせた上で上記のようにタバコの購入が出来るシステムも実施されている。
【０００４】
ここで、前記した専用カードを入手するために、格別の手続が必要となって繁雑であり、年齢をクリアしている喫煙者でも所得していないケースも多い。また、運転免許証の場合は所有していないことも多く、自動販売機を利用できず、対面販売による購入しか方法がなくなってしまう。
【０００５】
このような現状にあっては、全国に多数存在している自動販売機の有効利用が阻害され、活性化する必要性があり、対面販売のみでは時間帯によっては購入が不可能となってしまう不便性もある。
【特許文献１】特願２００８−２９８８５４号出願書類
【発明の開示】
【発明が解決しようとする課題】
【０００６】
本発明が解決しようとする問題点は商品の購入や施設の入場等に際して、年齢確認を要する場合、その年齢を確認させるための手段としてカードを用いるシステムにあって、そのカードは通常専用のものに限定されるが、汎用され、生年月日情報が記載されている住基カードの真贋判定を適確に行ない有効に使用するものがなかったという点である。
【課題を解決するための手段】
【０００７】
上記した問題点を解決するために、本発明に係る年齢の識別認識システムは年齢の識別認識システムに使用するカードを、住民基本台帳カード、あるいは生年月日情報（ＰＩＮコード）を書き込んだ二次元コードを併用したＲＦＩＤ方式カードのうち一種類以上であることとし、まず二次元コードにおける生年月日情報（ＰＩＮコード）を読み取り、これをトリガー信号としてＲＦＩＤに独立して記録されている生年月日情報を確認してカードが本物であると判定することを特徴としている。
【０００８】
また、本発明に係る年齢の識別認識システムはカードによる年齢識別部は、カードの挿入、排出を行なう機構を有し、そのカードの挿入、排出を行なう機構のほか、イメージセンサー部、ＲＦＩＤ読取部、光学センサー部、表示部をＣＰＵと接続してあり、ＰＩＮパッドをＣＰＵと接続可能なことを特徴としている。
【０００９】
さらに、本発明に係る年齢の識別認識システムは前記したカードによる年齢識別部にカードを挿入した場合、ローディング完了時点でカードの手前側端縁が一部露呈状態で停止されることを特徴としている。
【００１０】
そして、本発明に係る年齢の識別認識システムは前記した生年月日情報（ＰＩＮコード）を書き込んだ二次元コードを併用したＲＦＩＤ方式カードは書き換え可能と書き換え不能の二種類が用意されることを特徴としている。
【００１１】
また、本発明に係る年齢の識別認識システムは前記した生年月日情報（ＰＩＮコード）を書き込んだ二次元コードを併用したＲＦＩＤ方式カードの場合、年齢識別部に挿入後に、まず該カードの処理可能もしくは不可能の判定がなされ、不可能な場合ＮＧとされることを特徴としている。
【００１２】
さらに、本発明に係る年齢の識別認識システムは前記したＲＦＩＤに独立して記録されている生年月日情報を確認するため、本人確認のためのＰＩＮコードを入力するためのテンキー、特にＰＩＮパッドを付設できることを特徴とし、前記したテンキー、特にＰＩＮパッドは二次元コードから生年月日情報（ＰＩＮコード）を読み取れない場合、二次元コードが存在しない場合、二次元コードが存在していても使用しない場合のほか、二次元コードの読み取りを行なう機能を有しない場合のいずれにあっても有効に作用することを特徴としている。
【発明の効果】
【００１３】
本発明に係る年齢の識別認識システムは上記のように構成されている。そのため、住基カード等を使用するシステムにあって、カードの識別部を利用することで、二次元コードの専有エリアに書かれた生年月日情報（ＰＩＮコード）のチェックが可能となり、精度良く正確な年齢判定が行え、商品の購入や入場扉の開放を、年齢条件をクリアした者のみが得られることを可能とし、係る自動販売機等が有効に活性して利用されるほか、利用者にとっても非常に便利なシステムとなる。加えて、二次元コードに不具合があって読み取れなかったり、旧式のカードでこの二次元コードが存在しない場合でもテンキー、例えばＰＩＮパッドを備え、そこから生年月日情報（ＰＩＮコード）を入力することで二次元コードから生年月日情報（ＰＩＮコード）を読み出す場合と同等の作用が得られる。このテンキーを設けることは場合によって二次元コードの読み取りシステム自体を不要とすることも可能となり、現存する専用カードのみを使用しなければならないシステムを大幅に至便なものとでき、その専用カードに代えて他のカード、例えば住基カードの汎用性を高めることとなる。
【発明を実施するための最良の形態】
【００１４】
図面として示し、実施例で説明したように構成したことで実現した。
【実施例１】
【００１５】
次に、本発明の好ましい実施の一例をタバコの自動販売機に搭載した場合を例として図面を参照して説明する。図１は年齢識別部のブロック図、図２は同じく本発明に係るシステムの作動手順を示すフローチャート図である。
【００１６】
年齢識別部はカードをローディングし、排出する機構のものとされ、ここで使用されるカードは、生年月日情報（ＰＩＮコード）が書き込まれた二次元コードとＲＦＩＤ部を併用した住民基本台帳カード（以下、住基カードという）及び、運転免許証その他第三のカードが想定される。また、ここで、住基カードに設けられる二次元コードは、縦横の寸法を９ｍｍ±２ｍｍの正方形以内とし、該カードのコーナーからその記載エリアが約３ｍｍ±１ｍｍ離してあることとし、装置の読み取りセンサーと対応させる。ＲＦＩＤ部には既存のデータのほかに、独立して端部に生年月日情報が付加され、本発明では既存データは一切使用することなく、この新規な独立した生年月日情報のみを使用する。
【００１７】
年齢識別部は図１に示すように前記したローディング機構によって引き込まれた運転免許証や住基カード等のカード読み取り装置５を有している。このカード読み取り装置５はＣＰＵ部６を有し、このＣＰＵ部６にカード搬送部７、光学センサー部８、表示部９、そして二次元コードを読み取るイメージセンサー部１０、内部に含まれる電子情報を読み取るＲＦＩＤ部１１、そしてブザー１２が接続された構成となっており、さらに、ＰＩＮパッド（本人を確認するための暗唱番号、即ちＰＩＮコードを打ち込む小型のキーボード）１３と接続可能な構造となっている。
【００１８】
かかる構成とした年齢の識別認識の手順を図２に基いて説明すると、自動販売機等で商品を購入するに先立って、カード認識部へ使用する例えば住基カードを挿入すると、まずこれがＲＦＩＤカードか否かのチェックがレスポンス判定でなされる。ここでＲＦＩＤカードでないと判定されると運転免許証か否かのチェックがなされ、運転免許証ならば、それに対した処理がなされる。
【００１９】
ＲＦＩＤカードの場合、住基カードか否かのチェックをＡＴＱＢ（Ａｎｓｗｅｒ  ＴｏｒｅＱｕｅｓｔ  ｏｆ  ＴｙｐｅＢ）で行なう。否の場合にはその他のカードか否かのチェックがなされる。次いでＰＩＮコードを入力するか否かが選択される。住基カードであって格別にＰＩＮコードを入力しない場合、まず、所定の位置にある二次元コードを読み取り、ここに生年月日情報（ＰＩＮコード）があるか否かのチェックがなされる。ない場合はＰＩＮパッドがあるかないか判定し、なければＮＧとなり、あればＰＩＮコードを入力する。ここで、生年月日情報（ＰＩＮコード）がトリガーとなってＲＦＩＤ内に独立して記録されている生年月日情報を読み出す。この生年月日情報がない場合ＮＧとなる。ＲＦＩＤ内の生年月日データが読み出されれば、カレンダー機能へ移り、年齢がクリアしているか否かがチェックされる。住基カードが０歳時から本人に対し発行されるため、２０歳以上と予め確認して発行される専用カードと異なり、かかる処理が必要となる。
【００２０】
次いで、図１として示すブロックでの住基カードの読み取り処理を図２によって説明する。まず、住基カードか運転免許証あるいは第三のカードを年齢識別部の挿入口へ挿入すると、光学センサー部８、イメージセンサー１０によって挿入されたカードからデータが取り込まれる。取り込まれた二次元コードのデータをデコードして、トリガー信号を出す。次いで、ＲＦＩＤを読み込み、生年月日データとカレンダー機能で年齢を計算する。前記したＲＦＩＤからの読み込みがＮＧとなると運転免許証の真偽判定を行う。
【００２１】
ＰＩＮコードが認識されると住基カードのＲＦＩＤから、前記したように独立した位置に記録された生年月日情報（既設データは使用せずに）を読み出す。即ち、前記した二次元コードによる読み取りがＰＩＮコードの取得となり、処理のトリガーとなる。前記生年月日情報と、カレンダー機能によって年齢を計算し、年齢がクリアされているか否かを判定し、クリアしていればＯＫ判定となる。クリアされていないとＮＧ判定となる。
【００２２】
ここで、住基カードでＰＩＮコードを入力するとした場合や前記した二次元コードからの読み取りが良好になされない場合、具体的にはその二次元コードが損傷したり、汚れていたり、もしくは旧タイプの住基カードで二次元コードが存在しない場合等には、表示部９における表示や音声信号等の手段により、ＰＩＮパッド１３による生年月日情報（ＰＩＮコード）の入力を促すこととなり、ここでＰＩＮパッド１３によって生年月日情報（ＰＩＮコード）が入力されると、この情報の入力は二次元コードからの情報読み取りと同様の処理のトリガーとなってＲＦＩＤから独立して記録された生年月日情報を読み出す。ここでＰＩＮパッド１３はシステムとして二次元コードを読み取る機能がない場合も、このＰＩＮパッド１３での入力で二次元コードを読み取ったと同等の効果、即ち、トリガー信号を出すものとなる。
【００２３】
また、前記した運転免許証の判定処理において真贋の判定をしてＯＫとなると生年月日を認識して前記カレンダー機能による計算へと移行する。
【００２４】
ここで、生年月日認識、これは住基カードの場合も含め、否とされると、年齢がクリアしているか否かの判定の前段階でＮＧ判定とされる。
【００２５】
また、前記した読み取り装置５にあっては、住基カードあるいは運転免許証以外の第三のカードも使用可能とする。使用される第三のカードはＲＦＩＤ方式のものとして少なくとも年齢情報を書き込んだ二次元コードを併用するものとなり、運転免許証、住基カード、鉄道交通カード、銀行カード等を共通して使用できる。主として波長帯域のバンド幅以内で受発信かつ電力発生できるタイプとする。この場合であっても二次元コードが不具合の場合や二次元コードを読み取る機能がない場合は、ＰＩＮパッド１３が使用されることとなる。
【００２６】
この第三のカードは書き換えを可能とするタイプと、書き換え不能のリードオンリータイプの二種類を用意する。このうち、書き換え可能タイプとしたカードは、例えばスキーリフト券のように期間変更、延長、短縮、ホテルや旅館等の宿泊施設との提携処理、会計処理やクリアリング処理等を幅広く出来るものとする。一方、書き換えを不能としたリードオンリータイプのカードは入場、退出券等のような限定処理のものとする。
【００２７】
この第三のカードに対応する読み取り装置５は、前記した対応可能バンド域内にあって広範囲に動作するカードリーダー／ライターを用いる。このカードリーダー／ライターは運転免許証、住基カード、そして第三のカードに対応して処理可能となる。
【００２８】
この第三のカードが挿入された場合、第一に処理を行なうことが可能か否かのチェック判定がなされる。ここで、処理不可能、判定自体が不可能となるとＮＧとなりカードは排出される。処理可能と判定された場合には、各々のカードに対応した処理が進行していく。
【００２９】
このカードは各種のコード、数値文字情報、図形情報等を保有し、カードの種類に応じて物理的に予め定められた所定の位置から情報を取り出すことが可能としてある。運転免許証として検出された場合、所定の位置に記載された目視可能な年齢情報を導き出すことが出来る。
【００３０】
住基カードが検出された時は、所定の情報、例えば生年月日情報を得、第三のカードが検出された場合は、生年月日、あるいは年齢、入場や期間情報、その他の情報処理の用途に対応する。その他の情報としては前述したように書き換え可能な入場券情報と処理結果、クリアリング情報等とし、書き換え不可能カードの場合は入退場券や会員証的な用途に対応する。前記ファイル可能内容は日本語処理を可能とする形式を有するものとする。
【産業上の利用可能性】
【００３１】
本発明に係る年齢の識別認識システムは上記のように構成されている。実施例ではタバコの自動販売機を対象としているが、これにこだわらず、他の年齢規制のある商品の自動販売機にも応用でき、公営ギャンブルの投票券の自動販売機での規制や年齢制限のある施設への入場規制等に幅広く応用実施することが出来る。加えて、各種の鍵としたり、駐車場で本人確認のため利用し、料金計算や盗難防止することも可能である。
【図面の簡単な説明】
【００３２】
【図１】年齢識別部のブロック図である。
【図２】本発明に係るシステムの作動手順を示すフローチャート図である。
【符号の説明】
【００３３】
５    カード読み取り装置
６    ＣＰＵ部
７    カード搬送部
８    光学センサー部
９    表示部
１０  イメージセンサー部
１１  ＲＦＩＤ読み取り部
１２  ブザー
１３  ＰＩＮパッド
【図１】
2010128913.tif 000003
【図２】
2010128913.tif 000004